(57)【要約】【課題】本発明は、熱源や配管を共用化できるとともに、ミストと他栓での給湯の両方で同時に湯を使用しても、一方での湯の使用による他方での湯の使用への影響を抑制することにより、使い勝手のよいミスト装置付き給湯機を提供することを目的とする。【解決手段】本発明は、貯湯タンクの湯を給湯栓に導く給湯配管と、前記貯湯タンクの湯を浴槽に導く注湯配管と、前記貯湯タンクの湯をミスト装置に導くミスト配管と、前記貯湯タンクからの湯を、給水配管からの水と混合して所望の温度の湯とする混合弁とを有し、前記給水配管からの給水圧によって、前記貯湯タンク内の湯を各配管に供給するミスト装置付き給湯機において、前記給湯配管と注湯配管とミスト配管が、何れも前記貯湯タンクに設けられた１本の共通配管の下流に設けられ、前記混合弁が予め漏れ量を測定された三方弁であるミスト装置付き給湯機である。【選択図】図１
2008002705.tif 000002
【特許請求の範囲】
【請求項１】
貯湯タンクの湯を給湯栓に導く給湯配管と、
前記貯湯タンクの湯を浴槽に導く注湯配管と、
前記貯湯タンクの湯をミスト装置に導くミスト配管と、
前記貯湯タンクからの湯を、給水配管からの水と混合して所望の温度の湯とする混合弁とを有し、
前記給水配管からの給水圧によって、前記貯湯タンク内の湯を各配管に供給するミスト装置付き給湯機において、
前記給湯配管と注湯配管とミスト配管が、何れも前記貯湯タンクに設けられた１本の共通配管の下流に設けられ、
前記混合弁が予め漏れ量を測定された三方弁であるミスト装置付き給湯機。
【請求項２】
請求項１において、
給湯配管および注湯配管に供給される湯の流量が、予め測定されたミスト装置付き給湯機。
【請求項３】
請求項１または請求項１において、
注湯配管に分岐が設けられ、ミスト配管がこの分岐に設けられることで、前記貯湯タンクからの湯がミスト装置に供給され、
前記注湯配管に設けたミスト配管への分岐が、前記注湯配管の混合弁よりも下流に設けられたミスト装置付き給湯機。
【請求項４】
請求項１〜請求項３の何れかにおいて、
貯湯タンクの上部に設けられた１本の共通配管を給湯配管と注湯配管とに分岐したミスト装置付き給湯機。
【請求項５】
請求項１〜請求項４の何れかにおいて、
ミストを単独で使用する時の湯の供給量と、ミストと同時に給湯および／または注湯に使用する湯の供給量との差である変動量が、最大約２０〜４０リットル／分であり、
三方弁の漏れ量が、給水圧０．１ＭＰａにおいて、０．１５ミリリットル／分以下であるミスト装置付き給湯機。
【発明の詳細な説明】
【技術分野】
【０００１】
本発明は、主として家庭用に好適なミスト装置付き給湯機に関する。
【背景技術】
【０００２】
ミストを含めた複数個所での湯の使用を可能としつつ、熱源と配管を共有化してコストダウンを図るため、１つの熱源から、ミスト装置と他栓への給湯の機能を備えた給湯機が求められている。また、給湯機へのミスト装置の取付けの容易さから、既存の１本の配管から分岐してミスト装置と他栓への給湯を行うようにしたいという要求がある。
【０００３】
このようなミスト装置付き給湯機については、図８に示すように、瞬間式給湯機２３の給湯配管３を分岐してミスト配管４を設け、分岐後のそれぞれの配管に給水配管８からの水との混合弁２を設け、さらにミスト配管４に運転制御弁（図示しない。）を設けて、ミスト配管への湯の温度が変動した際には、運転制御弁（図示しない。）によって、湯の供給を停止・再開するミスト装置付き給湯機が知られている（特許文献１）。
【０００４】
また、ミスト配管と給湯配管を分岐した下流側で、それぞれの配管に混合弁を設け、ミスト運転中に他栓の割込みがあった場合、混合弁を制御して、供給する湯の温度に応じて、ミストと他栓への湯の供給を停止・再開するミスト装置が知られている（特許文献２）。
【０００５】
しかしながら、特許文献１および特許文献２のミスト装置では、ミスト配管と他栓への湯の供給を１つの熱源と配管で兼用できるものの、ミスト装置と他栓の両方で、同時に湯を使用する場合は、ミストまたは他栓の一方で使用されている湯の温度によっては、他方の使用が制限される。このため、例えば、ミスト使用中に、他栓の割込みがあった場合、ミストが停止したり、所定温度になるまで他栓での使用ができないなどの不都合があり、使い勝手が良くない問題があった。
【特許文献１】特開平４−２４７０３５号公報
【特許文献２】特開平８−３４９２１９号公報
【発明の開示】
【発明が解決しようとする課題】
【０００６】
本発明は、熱源や配管を共用化できるとともに、ミストと他栓での給湯の両方で同時に湯を使用しても、一方での湯の使用による他方での湯の使用への影響を抑制することにより、使い勝手のよいミスト装置付き給湯機を提供することを目的とする。
【課題を解決するための手段】
【０００７】
本発明は、次のものに関する。
（１）  貯湯タンクの湯を給湯栓に導く給湯配管と、前記貯湯タンクの湯を浴槽に導く注湯配管と、前記貯湯タンクの湯をミスト装置に導くミスト配管と、前記貯湯タンクからの湯を、給水配管からの水と混合して所望の温度の湯とする混合弁とを有し、前記給水配管からの給水圧によって、前記貯湯タンク内の湯を各配管に供給するミスト装置付き給湯機において、前記給湯配管と注湯配管とミスト配管が、何れも前記貯湯タンクに設けられた１本の共通配管の下流に設けられ、前記混合弁が予め漏れ量を測定された三方弁であるミスト装置付き給湯機。
（２）  （１）において、給湯配管および注湯配管に供給される湯の流量が、予め測定されたミスト装置付き給湯機。
（３）  （１）または（１）において、注湯配管に分岐が設けられ、ミスト配管がこの分岐に設けられることで、前記貯湯タンクからの湯がミスト装置に供給され、前記注湯配管に設けたミスト配管への分岐が、前記注湯配管の混合弁よりも下流に設けられたミスト装置付き給湯機。
（４）  （１）〜（３）の何れかにおいて、貯湯タンクの上部に設けられた１本の共通配管を給湯配管と注湯配管とに分岐したミスト装置付き給湯機。
（５）  （１）〜（４）の何れかにおいて、ミストを単独で使用する時の湯の供給量と、ミストと同時に給湯および／または注湯に使用する湯の供給量との差である変動量が、最大約２０〜４０リットル／分であり、三方弁の漏れ量が、給水圧０．１ＭＰａにおいて、０．１５ミリリットル／分以下であるミスト装置付き給湯機。
【発明の効果】
【０００８】
本発明のミスト装置によれば、熱源を共用化できるとともに、ミストと他栓の両方で同時に湯を使用しても、一方での湯の使用による他方での湯の使用への影響を抑制することにより、使い勝手のよいミスト装置付き給湯機を提供することができる。
【発明を実施するための最良の形態】
【０００９】
本発明によるミスト装置付き給湯機の１例としては、図１に示すように、貯湯タンク１の湯を給湯栓６に導く給湯配管３と、貯湯タンク１の湯を浴槽１０に導く注湯配管１１と、貯湯タンク１の湯をミスト装置１３に導くミスト配管４と、貯湯タンク１からの湯を、給水配管８からの水と混合して所望の温度の湯とする混合弁２とを有し、給水配管８からの給水圧によって、貯湯タンク１内の湯を各配管に供給するミスト装置付き給湯機が挙げられる。
【００１０】
貯湯タンク１の上部には、１本の共通配管１４が接続され、この共通配管１４から分岐して給湯配管３と注湯配管１１が設けられる。さらに、注湯配管１１には分岐が設けられ、ミスト配管４がこの分岐から設けられる。つまり、給湯配管３と注湯配管１１とミスト配管４が、何れも貯湯タンクに設けられた１本の共通配管の下流に設けられる。これにより、ミスト、給湯、注湯のそれぞれに使用する湯が、１つの熱源、１つの配管から供給されることになり、ミスト装置付き給湯機としてのコストが低減できる。
【００１１】
また、注湯配管１１に設けたミスト配管４への分岐が、注湯配管１１の混合弁２よりも下流に設けられることで、注湯配管１１の混合弁２とミスト配管４の混合弁とが、共用化される。これにより、貯湯タンク１にミスト配管４用の接続を設ける必要がなく、既存の注湯配管１１の一部をミスト配管４として共用できる。このため、特に、既設の貯湯タンク１に、ミスト装置１３を後付けする場合は、ミスト装置１３の取付けの手間やコストが低減できる。
【００１２】
混合弁２は三方弁とし、１例としては、図２、図３に示すように、３方向に湯水の流路２６を有し、この３つの湯水の流路２６が交わる箇所に、弁体２５を設けたものが挙げられる。弁体２５には開口２７が設けられ、この開口２７から湯水が弁体２５の内部を通過して、他の流路２６へ通じる構造になっている。弁体２５に設けられた開口２７は、弁体２５が動くことにより、流路２６を塞いだり、あるいは、２つの流路２６に跨って、各流路２６からの湯水を任意の割合で混合したり、何れか一方の流路２６からの湯水だけを導くようにできるように設けられる。弁体２５を例示すると、図２に示すボール式、図３に示すドラム式、その他の方式のものがある。この弁体２５と湯水の流路２６の内壁やパッキン２９との間には隙間２８があるため、この隙間２８から湯水が漏れる。また、不感帯等の弁体２５の作動特性により、弁体２５の開口２７が完全には閉じきらないことがあり、この開口から湯水が漏れる。これらの湯水が漏れる量を漏れ量という。
【００１３】
図２のボール式の弁体２５を用いた三方弁では、弁体２５は湯水の流路２６の内壁に設けられたパッキン２９に外接している。一方、図３のドラム式の弁体２５を用いた三方弁では、弁体２５が湯水の流路２６の内壁に直接外接しているので、弁体２５と湯水の流路２６の内径の公差等による隙間２８が生じる。このため、図３のドラム式の弁体２５を用いた三方弁に比べて、図２のボール式の弁体２５を用いた三方弁の方が、漏れ量を小さく設定できるため望ましい。なお、図３のドラム式の弁体２５を使用した三方弁でも、図２のボール式の三方弁と同等の漏れ量のものであれば使用できる。
【００１４】
この漏れ量の影響については、以下のように考えられる。高温（約６０℃）のミスト用の湯を調整する三方弁に供給される湯と水のうち、湯の流量が変動して低下すると、混合後の湯の温度を一定に保つため、三方弁は水の混合比を低下させるように作動する。しかしながら、上述したように、三方弁には所定の漏れ量があるため、水の混合比の低下には限界がある。特に、ミスト用の湯のように使用する湯の温度が高い場合は、もともと湯に比べて水の混合比が小さいため、この漏れ量の影響が大きい。このため、三方弁での水の混合比が増加してしまい、湯の温度は低下することになる。これは、三方弁に供給される湯水の流量の変動を考慮して三方弁の漏れ量を設定しないために生じる問題であり、このような場合は、上述したように、湯水の三方弁への流量が変動すると、三方弁における湯水の混合比が変動し、湯水の温度が変動することになる。
【００１５】
本発明の１例である図１のように、給湯配管３と注湯配管１１（ミスト配管４に分岐）が、貯湯タンク１の上部に設けた１本の共通配管１４から分岐して設けられている構成においては、注湯配管１１の三方弁２（ミスト配管４の三方弁と共用）および給湯配管３の三方弁２の漏れ量は、ミストを単独で使用した時の注湯配管１１（ミスト配管４に分岐）に供給される湯の流量、および、給湯を単独で使用した時の給湯配管３に供給される湯の流量を考慮して設定される。
【００１６】
つまり、ミストに使用する湯と給湯に使用する湯を共通の配管から分岐する構成において、単独でミストを使用する時に供給される湯の流量と、単独で給湯を使用する時に供給される湯の流量を予め測定等によって把握するとともに、ミストで使用する湯の温度を調整する三方弁、および、給湯で使用する湯の温度を調整する三方弁の漏れ量を予め測定等によって把握する。
【００１７】
三方弁の漏れ量の測定は、所定の給水圧力の下、三方弁を閉じた状態で、一方の流路から給水を行い、所定時間経過後に、他の流路の１つに漏れ出た水の量を測定することにより行う。そして、三方弁の２方向の流路から、所定温度の湯と水を供給し、他の流路から流出する混合後の湯の温度や流量を変化させながら、所望する温度や量の湯が得られるか否かを調査する。この時に変化させる湯と水の温度と流量は、ミストと給湯をそれぞれ単独で使用した場合と、ミストと給湯を同時に使用した場合の湯と水の温度と流量を含む範囲で変化させる。一方で、三方弁の漏れ量の方も変化させて、同様の試験を行う。これにより、ミストと給湯をそれぞれ単独で使用した場合と、ミストと給湯を同時に使用した場合の両者において、所望の温度の湯を得ることが可能な漏れ量が設定できる。
【００１８】
単独でミストを使用する時に供給される湯の流量、および単独で給湯を使用する時に供給される湯の流量の測定は、ミストや給湯をそれぞれ単独で運転し、所定時間に流出する湯の量を測定することにより行うことができる。または、供給圧力と圧力損失から、推算してもよい。
【００１９】
そして、ミストと給湯をそれぞれ単独で使用した時に供給される湯の流量の合計と、ミストを単独で使用した時に供給される湯の流量との差（このように、１本の共通配管から、ミスト配管、給湯配管、注湯配管等を分岐する場合において、各配管を単独で使用した時に使用する湯の流量の合計と、ミストを単独で使用する時の湯の流量の差を、以下、「変動量」と言う。）に対して、三方弁２の漏れ量は、三方弁２によって調整された後の湯の温度の変動を抑制することができるほどに十分に小さく設定される。
【００２０】
即ち、変動量から、ミストと給湯を同時に使用した時、注湯配管１１（ミスト配管４に分岐）に供給される湯の流量を把握することができるため、この流量に対応して三方弁２によって調整された後の湯の温度の変動を抑制できるように漏れ量を設定する。
【００２１】
これにより、ミストを使用している間に給湯の使用を開始または停止することによって、注湯配管１１（ミスト配管４に分岐）への湯水の流量が変動しても、注湯配管１１の三方弁２（ミスト配管４の三方弁と共用）と給湯配管３の三方弁２における湯水の混合比の変動を抑制することができる。そして、使用温度の安定化が図られることにより、快適で使い勝手のよいミスト装置付き給湯機を提供することができる。
【００２２】
図１のように、貯湯タンク１の上部に設けられた１本の共通配管１４を、給湯配管３と注湯配管１１とに分岐するとともに、さらに注湯配管１１の三方弁２よりも下流側から分岐してミスト配管４が設けられる場合において、ミスト使用時に給湯の使用を開始した場合のミスト用の湯の温度の変動について、以下に詳細を説明する。
【００２３】
図１に示すように、給湯配管３と注湯配管１１（ミスト配管４に分岐）は、貯湯タンク１の上部に設けた１本の共通配管１４から分岐して設けられている。このため、給湯配管３と注湯配管１１（ミスト配管４に分岐）の圧力損失が異なる場合、貯湯タンク１から供給される湯、および給水配管８から供給される水は、何れも圧力損失の小さい方により多く分配される。
【００２４】
ここで、注湯配管１１（ミスト配管４に分岐）および給湯配管３の何れに対しても、貯湯タンク１からの湯の供給は、貯湯タンク１に接続された給水配管８からの給水圧（減圧弁２２を介する。）によって行われるため、貯湯タンク１からの湯の供給圧力は同じである。一方、注湯配管１１を経由してミスト配管４に供給される湯量は最大で約１リットル／分、給湯配管３に供給される湯量は最大で約２０リットル／分である。このため、ミストを使用している状態の注湯配管１１（ミスト配管４に分岐）の方が、給湯配管３よりも圧力損失が大きくなるように設定されている。また、このときの変動量は、最大で約２０リットル／分である。
【００２５】
ミスト（約１リットル／分）を使用中に、給湯（約２０リットル／分）の使用を開始した場合、注湯配管１１の三方弁２（ミスト配管４の三方弁と共用）の湯水の混合において、貯湯タンク１からの湯の供給は、上述した給湯配管３との圧力損失のバランスにより、給湯配管３の方に多く分配され、注湯配管１１（ミスト配管４に分岐）の方に少なく分配される。このため、注湯配管１１（ミスト配管４に分岐）への湯の供給量は急激に低下する。
【００２６】
一方、給水配管８からの水の供給も、１本の給水配管８から注湯配管１１（ミスト配管４に分岐）と給湯配管３の両方に対して行われる。このため、貯湯タンク１からの湯の供給の場合と同様に、給湯配管３の方に多く、注湯配管１１（ミスト配管４に分岐）の方に少なく分配される。
【００２７】
このように湯水の供給量が変動した場合、注湯配管１１の三方弁２（ミスト配管４の三方弁と共用）および給湯配管３の三方弁２は、湯水の混合比を変えて、湯の温度が一定となるよう弁体２５を作動させる。しかしながら、漏れ量が大きい場合は、湯または水の混合比を調整して湯水の温度を一定に保つのには限界がある。
【００２８】
つまり、注湯配管１１（ミスト配管４へ分岐）への給水配管８からの水の供給は、ミストでの湯の使用量が約１リットル／分と少ない上、ミストでの使用温度が約６０℃と高温のため、もともと少ない。このため、給湯での使用を開始したことによって、注湯配管１１（ミスト配管４に分岐）への貯湯タンク１からの湯の供給量が急激に低下した場合でも、ミストで使用する湯の温度（約６０℃）を一定に保つために、給水配管８からの水の供給量を弁体２５によって絞るのには限界があり、弁体２５により流路２６を閉じても、漏れ量に相当する水が注湯配管１１を介してミスト配管４に流入する。
【００２９】
以上のように、ミスト（約１リットル／分）を使用中に、給湯（最大約２０リットル／分）の使用を開始した場合、注湯配管１１（ミスト配管４に分岐）への湯の供給量は急激に低下するのに対して、給水配管８からの水の供給量の低下は漏れ量の影響のために小さい。このため、注湯配管１１の三方弁２（ミスト配管４の三方弁２と共用）における湯と水の混合比が変動し、水の混合比が大きくなる。そうすると、ミストで使用する湯の温度が低下し、ミスト使用者は不快な思いをすることになる。
【００３０】
なお、このようなミストで使用する湯の温度の低下は、実際には、上述した漏れ量だけでなく、温度の変化に対する三方弁２の不感帯、その他の要因が影響するものと考えられる。しかしながら、漏れ量の小さい三方弁を用いることで、ミスト用の湯の温度の低下を抑制する効果があり、特に、図２のボール式の弁体２５を用いた三方弁を用いた場合は、漏れ量を小さく設定できるとともに、不感帯等の三方弁の特性やその他の湯の温度を変動させる要因を排除することができる。
【００３１】
本発明では、給湯配管３および注湯配管１１（ミスト配管４に分岐）への貯湯タンク１からの湯の供給量の変動（変動量）を考慮して、注湯配管１１の三方弁２（ミスト配管４の三方弁と共用）および給湯配管３の混合弁２の漏れ量を設定した。これにより、給湯の使用開始によって、注湯配管１１（ミスト配管４に分岐）への貯湯タンク１からの湯の供給量が変動して急激に低下しても、給水配管８からの水の供給量を、低下した湯の供給量に対応して絞ることができるため、ミストで使用する湯の温度の変動が抑制される。
【００３２】
貯湯タンク１から供給される湯の温度が８０℃、ミストで使用する湯（約１リットル／分）の温度が６０℃、給湯で使用する湯（最大約２０リットル／分）の温度が４０℃、湯の供給圧が０．１ＭＰａの場合、注湯配管１１の三方弁２（ミスト配管４の三方弁と共用）の漏れ量は、０．３０ミリリットル／分以下が望ましく、さらには０．１５ミリリットル／分以下が望ましい。
【００３３】
給湯配管３の三方弁２の漏れ量についても、漏れ量が大きいために、湯や水の使用量を十分に絞ることができない場合は、設定した温度とするために余分の湯水が必要となり、無駄が増えるともに、その分、注湯配管１１（ミスト配管４に分岐）に供給される湯の量が減ってミストで使用する湯の温度の変動を生じ易くすることになる。このため、給湯配管３の三方弁２についても、漏れ量は、給湯配管３の漏れ量と同等とするのが、給湯配管３と注湯配管１１（ミスト配管４に分岐）の湯水の供給バランスを保ち易いため望ましい。
【００３４】
図４の場合のように、貯湯タンク１の上部の設けた１本の共通配管１４から、注湯配管１１、給湯配管３、ミスト配管４を引き出している場合も、これらの配管は何れも、共通配管１４の下流に設けられている。また、この場合は、ミスト単独使用での湯の量（約１リットル／分）と給湯（最大約２０リットル／分）および注湯（最大約２０リットル／分）が同時に使用された場合の湯の量の変動量（最大約４０リットル／分）は、図１の構成の場合の変動量（最大約２０リットル／分）よりも大きく、湯の温度変動はさらに大きい。
【００３５】
このため、この場合は、各配管に供給される湯水の流量の変動量を考慮し、図１の構成の場合の漏れ量よりもさらに各配管の三方弁の漏れ量を小さく設定するのが望ましい。なお、図４の構成とした場合、貯湯タンク１の上部に設けた１本の共通配管１４から、給湯配管３、注湯配管１１、ミスト配管４を引き出すので、貯湯タンク１の接続が１箇所でよく、また、それぞれの配管において異なる温度で同時に使用できるメリットがある。
【００３６】
また、図５に示すように、貯湯タンク１の上部に設けられた共通配管１４を給湯配管３と注湯配管１１とに分岐するとともに、給湯配管３の混合弁２よりも下流に分岐が設けられ、ミスト配管４がこの分岐に設けられるようにした場合も、これらの配管は何れも共通配管１４の下流に設けられている。この場合は、ミスト単独使用での湯の量（約１リットル／分）と注湯（最大約２０リットル／分）が同時に使用された場合の湯の流量の変動量は、図１の場合と同じ最大約２０リットル／分である。
【００３７】
このため、給湯配管３（ミスト配管４に分岐）および注湯配管１１への貯湯タンク１からの湯の流量の変動量を考慮して、給湯配管３の三方弁２（ミスト配管４の三方弁と共用）および注湯配管１１の漏れ量を設定するのが望ましい。なお、図５の構成とした場合、貯湯タンク１の上部に設けられた共通配管１４から、給湯配管３（ミスト配管４に分岐）と注湯配管１１を引き出すため、貯湯タンク１の接続が１箇所でよく、また、それぞれの配管において異なる温度で同時に使用できるメリットがある。さらに、給湯配管３の混合弁２よりも下流からミスト配管４を分岐しているため、給湯配管３の混合弁２をミスト配管４の混合弁としても共用でき、既存の貯湯式給湯機にミスト装置を後付する場合も、取付け工事が容易であるというメリットがある。
【実施例１】
【００３８】
図１は、本発明のミスト付き給湯機の実施例１の構成を示す概略図である。実施例１のミスト装置付き給湯機は、ヒートポンプ７と、このヒートポンプ７で沸かせた湯を貯湯する貯湯タンク１と、この貯湯タンク１の湯を給水配管８からの水と混合弁２により混合し、給湯栓６に導く給湯配管３と、貯湯タンク１の湯を給水配管８からの水と混合弁２により混合し、浴槽１０に導く注湯配管１１と、貯湯タンク１の湯を給水配管８からの水と混合弁２により混合し、ミスト装置１３に導くミスト配管４と、このミスト配管４からの湯のミストノズル５への供給を制御するミスト装置１３と、このミスト装置１３から供給された湯をミスト状に噴霧するミストノズル５とを有する。
【００３９】
ミスト装置１３は、混合弁２により混合された混合水（湯）の温度を検知する温度センサ１６と、混合水（湯）の供給をＯＮ／ＯＦＦする電磁弁１７と、電磁弁１７がＯＮの場合に混合水（湯）の通水経路をミストノズル５に通じるミスト噴霧用配管１８と排水用配管１９に切替える切替弁２０とからなるものである。
【００４０】
給湯機は、外部に設けた加熱装置で水を加熱し、貯湯タンク１に保温して貯湯する貯湯式給湯機であり、加熱装置としては、ヒートポンプ７を用いる。なお、ヒートポンプ７に使用する冷媒は、高温貯湯が可能であることから、炭酸ガスとする。
【００４１】
貯湯タンク１の上部に、１本の共通配管１４を接続し、この共通配管１４から給湯配管３と、注湯配管１１をそれぞれ分岐する。さらに、注湯配管１１の混合弁２よりも下流側からミスト配管４を分岐する。つまり、給湯配管３と注湯配管１１とミスト配管４は、何れもこの共通配管１４の下流に設けられている。
【００４２】
これにより、貯湯タンク１との接続が１箇所で済むとともに、注湯配管１１とミスト配管４とは、貯湯タンク１との接続箇所から分岐までの配管、及び混合弁２を共用化できる。また、給湯配管３の混合弁２と注湯配管１１の混合弁２（ミスト配管４の混合弁と共用）とが、並列に設けられ、ミスト使用中に、給湯の使用が可能であり、しかも、ミストと給湯を、異なる温度で使用できる。さらに、貯湯式給湯機に後付でミスト装置１３を設置する場合に、注湯配管１１から分岐するだけで済むため、工事の手間が省略できる。なお、ミストと注湯は同時に使用することができないが、通常はこれらを同時に使用することがないため、使い勝手を悪くすることはない。
【００４３】
ミストを単独で使用した時の湯の流量は、約１リットル／分、給湯を単独で使用した時の湯の流量は、最大約２０リットル／分、注湯を単独で使用した時の湯の流量は、最大約２０リットル／分であった。このとき、変動量は、最大約２０リットルである。ミストで使用する湯の温度は６０℃、給湯で使用する温度は４０℃に設定した。また、給水配管３から貯湯タンク１への給水圧、および各混合弁２への水の給水圧は、何れも、減圧弁２２により、約０．０２ＭＰａとした。
【００４４】
変動量が約２０リットルであることを考慮して、注湯配管１１の混合弁２（ミスト配管４の混合弁と共用）および給湯配管３の混合弁２は、図２に示すボール式の三方弁２を使用し、漏れ量は、０．１５ミリリットル／分（０．１ＭＰａ）以下とした。
【００４５】
ミストを使用中に、給湯を使用したり停止したりしたところ、ミストの噴霧量は変動したものの、ミストの湯の温度は変動は認められなかった。
【実施例２】
【００４６】
図４は、本発明のミスト付き給湯機の実施例２の構成を示す概略図である。貯湯タンク１の上部に１本の共通配管１４を接続し、この共通配管１４から給湯配管３と、注湯配管１１と、ミスト配管４とを、それぞれ分岐した配管構成とする。つまり、給湯配管３と注湯配管１１とミスト配管４は、何れもこの共通配管１４の下流に設けられている。これ以外の構成は、実施例１と同様である。これにより、それぞれの配管の混合弁２が並列となり、ミストと給湯と注湯を同時に使用することができ、しかも、それぞれを異なる温度で使用できる。
【００４７】
ミストでの湯の使用量は、約１リットル／分、給湯での湯の使用量は、最大約２０リットル／分、注湯での湯の使用量は、最大約２０リットル／分であった。このとき、変動量は、最大約４０リットル／分である。ミストで使用する湯の温度は６０℃、給湯で使用する温度は４０℃に設定した。また、給水配管８から貯湯タンク１への給水圧、および給水配管８から混合弁２への水の給水圧は、何れも、減圧弁２２により、約０．０２ＭＰａとした。注湯配管１１、給湯配管３、ミスト配管４の各混合弁２は、図２に示すボール式の三方弁２を使用し、漏れ量は、０．１５ミリリットル／分（０．１ＭＰａ）以下とした。
【００４８】
ミストを使用中に、給湯と注湯を使用したり、停止したりしたところ、ミストの噴霧量は変動したものの、ミストの湯の温度は、使用者が不快に感じるような変動は認められなかった。
【実施例３】
【００４９】
図５は、本発明のミスト付き給湯機の実施例３の構成を示す概略図である。貯湯タンク１の上部に、１本の共通配管１４を接続し、この共通配管１４から給湯配管３と、注湯配管１１をそれぞれ分岐する。さらに、給湯配管３の混合弁２よりも下流側からミスト配管４を分岐する。つまり、給湯配管３と注湯配管１１とミスト配管４は、何れも共通配管１４の下流に設けられている。これ以外の構成は、実施例１、実施例２と同様である。
【００５０】
これにより、貯湯タンク１との接続が１箇所で済むとともに、給湯配管３とミスト配管４とは、貯湯タンク１との接続箇所から分岐までの配管、及び混合弁２を共用化できる。また、給湯配管３の混合弁２（ミスト配管４の混合弁２と共用）と注湯配管１１の混合弁２とが、並列に設けられ、ミスト使用中に、注湯の使用が可能であり、しかも、ミストと注湯を、異なる温度で使用できる。さらに、貯湯式給湯機に後付でミスト装置１３を設置する場合に、給湯配管３から分岐するだけで済むため、工事の手間が省略できる。なお、この実施例５の場合は、ミストと給湯を同時に使用することができないため、使い勝手上の制約はある。
【００５１】
ミストでの湯の使用量は、約１リットル／分、給湯での湯の使用量は、最大約２０リットル／分、注湯での湯の使用量は、最大約２０リットル／分であった。このとき、変動量は、最大約２０リットル／分である。ミストで使用する湯の温度は６０℃、給湯で使用する温度は４０℃に設定した。また、給水配管８から貯湯タンク１への給水圧、および給水配管８から混合弁２への水の給水圧は、何れも、減圧弁２２により、約０．０２ＭＰａとした。給湯配管３の混合弁２（ミスト配管４の混合弁２と共用）および注湯配管１１の混合弁２は、図２に示すボール式の三方弁２を使用し、漏れ量は、０．１５ミリリットル／分（０．１ＭＰａ）以下とした。
【００５２】
ミストを使用中に、注湯を使用したり停止したりしたところ、ミストの噴霧量は変動したものの、ミストの湯の温度は変動は認められなかった。
【００５３】
（比較例１）
図６は、本発明のミスト付き給湯機の比較例１の構成を示す概略図である。実施例２のミスト装置付き給湯機では、給湯配管３、注湯配管１１、ミスト配管４は、それぞれが貯湯タンク１の上部に直接接続される。つまり、共通配管を有していない。その他の構成は、実施例１〜実施例３と同様である。これにより、それぞれの配管の混合弁２が並列となるため、ミストと給湯と注湯とを同時に使用することができ、しかも、それぞれを異なる温度で使用できる。
【００５４】
ミストを単独で使用した時の湯の流量は、約１リットル／分、給湯を単独で使用した時の湯の流量は、最大約２０リットル／分、注湯を単独で使用した時の湯の流量は、最大約２０リットル／分であり、実施例１〜実施例３と同様である。しかしながら、給湯配管３、注湯配管１１、ミスト配管４は、それぞれが貯湯タンク１の上部に直接接続され、１本の共通配管から分岐したものではない。このため、変動量は、０リットル／分となる。ミストで使用する湯の温度は６０℃、給湯で使用する温度は４０℃に設定した。給水配管３から貯湯タンク１への給水圧、および各混合弁２への水の給水圧は、何れも、減圧弁２２により、約０．０２ＭＰａとした。
【００５５】
変動量が０リットル／分であることを考慮して、注湯配管１１の混合弁２（ミスト配管４の混合弁と共用）および給湯配管３の混合弁２は、特に漏れ量を考慮することなく、一般的なドラム式の三方弁を使用した点以外は、図１の実施例１と同様である。この三方弁の漏れ量は、１ミリリットル／分（０．１ＭＰａ）以上であった。
【００５６】
ミストを使用中に、給湯と注湯を使用したり、停止したりしたところ、ミストの噴霧量の低下もなく、ミストの湯の温度も変動は認められなかった。
【００５７】
（比較例２）
図７は、本発明のミスト付き給湯機の比較例２の構成を示す概略図である。貯湯タンク１の上部に、給湯配管３と、注湯配管１１をそれぞれ直接接続し、注湯配管１１の混合弁２よりも下流側からミスト配管４を分岐する。つまり、共通配管を有していない。これ以外の構成は、実施例１と同様である。
【００５８】
これにより、注湯配管１１とミスト配管４とは、貯湯タンク１との接続箇所から分岐までの配管、及び混合弁２を共用化できる。また、給湯配管３の混合弁２と注湯配管１１の混合弁２（ミスト配管４の混合弁と共用）とが、並列に設けられ、ミスト使用中に、給湯の使用が可能であり、しかも、ミストと給湯を、異なる温度で使用できる。さらに、貯湯式給湯機に後付でミスト装置１３を設置する場合に、注湯配管１１から分岐するだけで済むため、工事の手間が省略できる。なお、ミストと注湯は同時に使用することができないが、通常はこれらを同時に使用することがないため、使い勝手を悪くすることはない。
【００５９】
ミストでの湯の使用量は、約１リットル／分、給湯での湯の使用量は、最大約２０リットル／分、注湯での湯の使用量は、最大約２０リットル／分であり、実施例１〜実施例３と同様である。しかしながら、給湯配管３（ミスト配管４に分岐）と注湯配管１１は、それぞれが貯湯タンク１の上部に直接接続され、１本の共通配管から分岐したものではない。このため、変動量は、０リットル／分となる。ミストで使用する湯の温度は６０℃、給湯で使用する温度は４０℃に設定した。また、給水配管８から貯湯タンク１への給水圧、および給水配管８から混合弁２への水の給水圧は、何れも、減圧弁２２により、約０．０２ＭＰａとした。
【００６０】
変動量が０リットル／分であることを考慮して、注湯配管１１の混合弁２（ミスト配管４の混合弁と共用）および給湯配管３の混合弁２は、特に漏れ量を考慮することなく、一般的なドラム式の三方弁を使用した点以外は、図１の実施例１と同様である。この三方弁の漏れ量は、１ミリリットル／分（０．１ＭＰａ）以上であった。
【００６１】
ミストを使用中に、給湯を使用したり停止したりしたところ、ミストの噴霧量は変動もなく、ミストの湯の温度も変動は認められなかった。
【図面の簡単な説明】
【００６２】
【図１】本発明によるミスト装置付き給湯機の実施例１を示す概略構成図である。
【図２】ボール式の弁体を使用した三方弁の断面図である。
【図３】ドラム式の弁体を使用した三方弁の断面図である。
【図４】本発明によるミスト装置付き給湯機の実施例２を示す概略構成図である。
【図５】本発明によるミスト装置付き給湯機の実施例３を示す概略構成図である。
【図６】本発明によるミスト装置付き給湯機の比較例１を示す概略構成図である。
【図７】本発明によるミスト装置付き給湯機の比較例２を示す概略構成図である。
【図８】従来例によるミスト装置付き給湯機の概略構成図である。
【符号の説明】
【００６３】
１    貯湯式タンク
２    混合弁（三方弁）
３    給湯配管
４    ミスト配管
５    ミストノズル
６    給湯栓
７    ヒートポンプ
８    給水配管
１０    浴槽
１１    注湯配管
１３    ミスト装置
１４    共通配管
１５    洗い場
１６    温度センサ
１７    電磁弁
１８    ミスト噴霧用配管
１９    排水用配管
２０    切替弁
２１    コントローラ
２２    減圧弁
２３    瞬間式給湯機
２４    Ｏリング
２５    弁体
２６    流路
２７    開口
２８    隙間
２９    パッキン
【図１】
2008002705.tif 000003
【図２】
2008002705.tif 000004
【図３】
2008002705.tif 000005
【図４】
2008002705.tif 000006
【図５】
2008002705.tif 000007
【図６】
2008002705.tif 000008
【図７】
2008002705.tif 000009
【図８】
2008002705.tif 000010